(57)【要約】  トイレブラシ（１０；１１０；２１０）を収納および消毒するためのアセンブリであって、トイレブラシ（１０；１１０；２１０）の全体を収容するための容器またはハウジング（３８；１３８；２３８）を含み、容器またはハウジングにはトイレブラシを持ち上げるための開口部が設けられており、アセンブリはさらに、開口部を閉じるための蓋（４０；１４０）、フラップ（２３７）または別の閉止部と、トイレブラシ（１０；１１０；２１０）の少なくともハンドル（１６；１１６；２１６）をＵＶ光（５４；１５４；２５４）に曝露するためのＵＶ光源（４８；１４８；２４８）とを含み、ＵＶ光源は、曝露される表面の消毒に好適な波長範囲および輝度を有し、手で触れることなく容器またはハウジング（３８；１３８；２３８）を開けるための手段（６２，６４）と、容器またはハウジング（３８；１３８；２３８）を閉めた場合にのみＵＶ光源（４８；１４８；２４８）がＵＶ光を放射するようにＵＶ光源を制御するための制御手段（４６）とを特徴とする。
2021501668.tif 000002
【特許請求の範囲】
【請求項１】
トイレブラシ（１０；１１０；２１０）を収納および消毒するためのアセンブリであって、
（ａ）  前記トイレブラシ（１０；１１０；２１０）の全体を収容するための容器またはハウジング（３８；１３８；２３８）を備え、前記容器または前記ハウジングには前記トイレブラシを持ち上げるための開口部が設けられており、前記アセンブリはさらに、
（ａ）  前記開口部を閉じるための蓋（４０；１４０）、フラップ（２３７）または別の閉止部と、
（ｃ）  前記トイレブラシ（１０；１１０；２１０）の少なくともハンドル（１６；１１６；２１６）をＵＶ光（５４；１５４；２５４）に曝露するためのＵＶ光源（４８；１４８；２４８）とを備え、前記ＵＶ光源は、曝露される表面の消毒に好適な波長範囲および輝度を有し、
（ｄ）  手で触れることなく前記容器または前記ハウジング（３８；１３８；２３８）を開けるための手段（６２，６４）と、
（ｅ）  前記容器または前記ハウジング（３８；１３８；２３８）を閉めた場合にのみ前記ＵＶ光源（４８；１４８；２４８）がＵＶ光を放射するように前記ＵＶ光源を制御するための制御手段（４６）とを特徴とする、アセンブリ。
【請求項２】
前記容器（３８；１３８）または前記ハウジング（３８；１３８）には、前記トイレブラシ（１０；１１０；２１０）のための解放可能な挿入部（２８）が設けられていることを特徴とする、請求項１に記載のアセンブリ。
【請求項３】
前記挿入部（２８；１２８）には、対応する輪郭を有する前記トイレブラシ（１０）を受けるように適合された輪郭（２６）を有する底部が設けられていることを特徴とする、請求項２に記載のアセンブリ。
【請求項４】
前記ＵＶ光源（４８；１４８）および前記制御手段（４６）は前記容器の蓋（４０；１４０）にまたはハウジングカバー（２４９）の下方に収容されていることを特徴とする、前述の請求項のいずれか１項に記載のアセンブリ。
【請求項５】
前記制御手段（４６）は曝露時間を求めるためのタイマを備え、前記ＵＶ光源（４８；１４８）は設定した曝露時間の後にオフに切替えられることを特徴とする、前述の請求項のいずれか１項に記載のアセンブリ。
【請求項６】
前記容器の蓋（４０；１４０）の位置を検出するためのセンサを備え、そのようなセンサの信号は前記制御手段（４６）に送信されることを特徴とする、前述の請求項のいずれか１項に記載のアセンブリ。
【請求項７】
前記センサには、ピンスイッチ、ブックカバーの機能を有する接触子または別の接触子が設けられており、前記制御手段（４６）が前記ＵＶ光を開始するための信号を発生させるように前記容器（３８；１３８）が閉まったことを検出することを特徴とする、請求項６に記載のアセンブリ。
【請求項８】
前記挿入部（２８，２２８）には、前記挿入部（２８）を前記容器の縁、フックまたは突起部に保持する径方向外向きに突出する上縁（３２）またはカラー（２３３）が設けられていることを特徴とする、前述の請求項のいずれか１項に記載のアセンブリ。
【請求項９】
閉められた前記ハウジングは開口部を形成し、前記開口部は、蓋（４０）が閉まっていても外部から少なくとも部分的に見ることができる前記挿入部（２８）または別の要素の一部によって閉じられ、前記ＵＶ光源の照射に曝露されると色鮮やかに光るアクリルまたは別の材料からなることを特徴とする、前述の請求項のいずれか１項に記載のアセンブリ。
【請求項１０】
前記蓋（４０）はペダル（６２）に接続され、前記ペダルは前記蓋、前記フラップ又は他の閉止要素を足で開位置に動かすように適合されることを特徴とする、前述の請求項のいずれか１項に記載のアセンブリ。
【請求項１１】
前記蓋、前記フラップ又は前記閉止要素を動かすためのモータ（１６２，２６２）が設けられていることを特徴とする、請求項１から９のいずれか１項に記載のアセンブリ。
【請求項１２】
前記蓋、前記フラップ又は前記閉止要素を動かすための前記モータ（１６２，２６２）はモーションセンサからの制御信号を受信することを特徴とする、前述の請求項のいずれか１項に記載のアセンブリ。
【請求項１３】
前記ハウジングは面一装着されるように適合され、前記フラップは壁または設備の前側と一直線になっており、その後ろに前記ハウジングが設置されていることを特徴とする、前述の請求項のいずれか１項に記載のアセンブリ。
【発明の詳細な説明】
【技術分野】
【０００１】
本発明はトイレブラシを収納および消毒するためのアセンブリであって、
（ａ）  トイレブラシの全体を収容するための容器またはハウジングを含み、容器またはハウジングにはトイレブラシを持ち上げるための開口部が設けられており、アセンブリはさらに、
（ａ）  開口部を閉じるための蓋、フラップまたは別の閉止部と、
（ｃ）  トイレブラシの少なくともハンドルをＵＶ光に曝露するためのＵＶ光源とを含み、ＵＶ光源は、曝露される表面の消毒に好適な波長範囲および輝度を有するアセンブリに関する。
【背景技術】
【０００２】
トイレブラシは、トイレの使用後にトイレの内側を掃除するために用いられる。それらは通常、トイレの当座の環境において単純な丸いブラシの形態で設けられる。ブラシは何度も使用される。通常、ブラシはプラスチック材料からなり、定期的に消毒および交換する必要がある。それでもやはり、トイレブラシは常に雑菌および汚れの発生源である。
【０００３】
特有の問題は、トイレブラシのハンドルを介して雑菌が伝染することである。トイレブラシは普通、トイレの使用後であるが手を洗う前に使用される。つまり、トイレブラシのハンドルは洗っていない手に取られる。それによって雑菌が伝染する可能性がある。場合によっては知らない人々の洗っていない手で使用されたハンドルを手で持ち上げることは、ユーザにとって不快である。
【０００４】
先行技術
多数の刊行物がトイレブラシの衛生問題に取組んでいる。特許文献で提案されている解決策は、液体消毒剤による消毒、トイレブラシの交換可能な部品、および使い捨てブラシを伴う。これら公知の解決策はいずれも、製造が困難であるか、または実際には経済的および／もしくは環境的でないため、市場には出回っていない。多数の公知のアセンブリがブラシヘッドの衛生に取組んでいるが、ブラシのハンドルの衛生には取組んでいない。
【０００５】
ＤＥ  ２０  ２０１２  ００６  ４１２  Ｕ１は、固定ジェットがブラシのハンドルの範囲に消毒剤を噴霧するトイレブラシ用のホルダを開示している。当該アセンブリは消毒剤を継続的に補充する必要がある。ハンドルは消毒後に濡れている。これはユーザにとって不快である。センサがブラシの挿入を検出する。これは、蓋が閉まる前に消毒剤が噴霧されて容器から出てしまう危険性を伴う。
【０００６】
ＵＳ  ２００４／０１５９３３０  Ａ１は、トイレブラシのヘッドはＵＶ照射によって消毒されるがブラシのハンドルは消毒されないアセンブリを開示している。
【０００７】
ＷＯ  ２０１６／０７３８３１  Ａ１は、天井に設けられたＵＶ照射器によってトイレ室全体をＵＶ照射に曝露することを開示している。
【０００８】
ＤＥ  ２０  ２０１０  ０１０  ９１０  Ｕ１は、トイレブラシに消毒済みハンドルを提供するための装置を開示している。当該アセンブリは、ＵＶランプが存在し得るハンドル用の消毒室を設けている。当該アセンブリは設計が複雑であり、たとえば子供が利用しないように、外部に対して保護されていない。消毒されるのはハンドルのみである。
【０００９】
ＥＰ  ０  ３５６  ８９６  Ｂ１も、トイレ器具を紫外線照射で消毒するための装置を開示している。当該アセンブリは取扱いが複雑で困難である。
【００１０】
さらに、歯ブラシをＵＶ照射で消毒することが知られている。歯ブラシとは反対に、トイレブラシは典型的にさまざまな人々の洗っていない手で持ち上げられる。したがって、歯ブラシのヘッドは消毒するが歯ブラシのハンドルは消毒する必要はない。
【００１１】
ＵＳ  ２００４／００８９８１５  Ａ１およびＵＳ  ２００４／０１５５２０１  Ａ１の各々は、歯ブラシのヘッドは消毒するがハンドルは消毒しないアセンブリを開示している。容器は手で閉まる。
【００１２】
ＤＥ  １９６  １４  ７７９  Ａ１は歯ブラシ用の消毒装置を開示している。歯ブラシは容器内でＵＶ光に曝露される。ブラシのヘッドはＵＶ光源の横側に配置される。容器を閉めるとＵＶ光源をスイッチによって手動でオンに切替えることができる。そのようなアセンブリではスイッチを介して雑菌が移る可能性がある。
【００１３】
ＵＳ  ３，９５４，４０７は歯ブラシ用の消毒装置を開示している。歯ブラシをＵＶ光源の周りのホルダに円形に差込む。ホルダを手動で回転させることによってＵＶ光源をオンおよびオフに切替える。当該アセンブリはトイレブラシには適していない。また、このアセンブリではホルダを回転させると雑菌が移る可能性がある。
【発明の概要】
【発明が解決しようとする課題】
【００１４】
発明の開示
本発明の目的は、トイレブラシの少なくともハンドルが迅速にかつ安価に消毒され、同時に外部に対して保護されている、上述の種類の単純な装置を提供することである。
【課題を解決するための手段】
【００１５】
本発明によると、この目的は、
（ｄ）  手で触れることなく容器またはハウジングを開けるための手段と、
（ｅ）  容器またはハウジングを閉めた場合にのみＵＶ光源がＵＶ光を放射するようにＵＶ光源を制御するための制御手段と、
という点において上述の種類の装置で達成される。
【００１６】
ＵＶ光源が放射する紫外線照射は消毒のために与えられる。好ましくは、ＵＶＣ照射とも称される、短波長範囲の紫外線照射が用いられる。当該照射は、良好な消毒結果のために比較的高い輝度を有する。しかし、そのような照射は皮膚、粘膜および目に危険であることが不利点である。したがって、本発明では、容器を完全に閉めた場合にのみ照射が行なわれる。照射は容器に吸収され、外部に出ることはできない。この閉容器のさらなる利点は、小さな子供がトイレブラシを容易に利用できないことである。
【００１７】
トイレブラシを使用するためには容器を開ける必要がある。このために、特に、決して手では開けない非接触機構が設けられている。当該機構は電子的に開始され、たとえば、モーションセンサまたは光バリア、モータ、油圧機構または空気圧機構によって起動され得る。
【００１８】
しかし、当該機構は機械的なものであってもよい。本発明の特に単純な変形例では蓋がペダルに接続されており、これによって足で蓋を開位置に動かすことができる。そのような機構はゴミ箱から知られており、ユーザに新たな課題を提起しない。また、そのような機構を用いると、アセンブリのいかなる部分にも手で触れる必要がない。ユーザが触れる唯一の部分は、消毒済みのトイレブラシのハンドルである。
【００１９】
本発明の好ましい実施形態では、容器にトイレブラシのための解放可能な挿入部が設けられている。挿入部を容易に取外して洗うことができる。挿入部をトイレブラシの形態に適合させることができる。トイレブラシの形状を考慮する必要なしに、容器を快適に安定して設計することができる。好適に成形された挿入部によって、ひいてはトイレブラシを良好に保持することができ、水滴を放出することができる。また、挿入部を残りのアセンブリとは独立して交換する可能性が与えられる。こうして貴重な材料が容器に用いられ得る。
【００２０】
好ましくは、挿入部には、対応する輪郭を有するトイレブラシを受けるように適合された輪郭を有する底部が設けられている。たとえば、輪郭は、中心において上向きに延在する突起部またはピンを含み得る。トイレブラシはその下面に、突起部またはピンの上に固着されるように適合された開口部が設けられ得る。それによって、トイレブラシは同時に保持されて中心に置かれ、これによって均一な曝露が可能となる。
【００２１】
好適なトイレブラシには、ブラシではなく、シリコン製などの堅いフラグが、ハンドル付きのシャフトに設けられている。フラグは径方向に外向きに延在する。フラグが軸から離れた範囲内で突出するように設計されている場合は、これによって便器の縁の下の範囲に手が届くことが可能となる。そうでない場合は、トイレブラシは典型的なトイレブラシの輪郭に対応する丸い輪郭をその下端に有する。シリコンフラグの使用には、撥水特徴によって良好な洗浄効果が得られるが水滴がほとんどないという利点がある。
【００２２】
本発明の特に好ましい実施形態では、ＵＶ光源および制御手段は容器の蓋に収容されている。蓋は容器の一部であり、普通はブラシまたは水と全く接触しない。特に、蓋にはさらなる底部が設けられ得ることよって、制御手段がさらに保護される。ＵＶ光は、直接的にまたは高いＵＶ透過性を有する窓を通って、容器の内部へと導かれ得る。窓は、たとえば石英製またはホウケイ酸塩製であり得る。
【００２３】
本発明の特に有利な変形例では、制御手段は曝露時間を求めるためのタイマを含み、ＵＶ光源は設定した曝露時間の後にオフに切替えられる。ＵＶＣ照射への曝露は、たとえば、３０秒間など、１０秒間から２分間にわたって行なわれ得る。そのような期間は良好な消毒に十分である。光源をさらに起動させる必要はない。光源は設定した曝露時間の後にオフに切替えられ得る。
【００２４】
好ましくは、光源は、電池またはアキュムレータを用いるなどして、ケーブルなしで動作する。トイレの範囲内に通常は存在しないプラグはこうして不要となる。好適な曝露時間に達した後にオフに切替えることによってエネルギ源の寿命を延ばすことができる。
【００２５】
本発明のさらなる変形例では、容器の蓋の位置を検出するためのセンサが設けられ、そのようなセンサの信号は制御手段に送信される。特に、センサには、ピンスイッチ、ブックカバーの機能（book cover function）を有する接触子または別の接触子が設けられており、容器が閉まったことを検出し得る。それによって、制御手段はＵＶ光を開始するための信号を発生させ得る。曝露時間の開始は、蓋を閉めたときである。終了は、設定した曝露時間または調整可能な曝露時間の後である。蓋が閉まったことをセンサが検出すると、曝露が開始される。蓋を開けると、曝露は中断されるかまたはそもそも開始されない。曝露は、中断されるので、継続され得るかまたは最初から開始され得る。
【００２６】
本発明の特に有利な変形例では、センサは、ヒンジと、場合によっては必要なさらなる構成要素および／またはインターフェイスとをさらに収容する別個の閉止部に一体化されている。モジュールは容器の外側にまたは蓋に固定され得る。
【００２７】
本発明の特に有利な変形例では、挿入部には、蓋が閉まっていても挿入部が外部から少なくとも部分的に見えるように挿入部を容器の端縁に配置するための径方向外向きに突出する上縁が設けられている。それによって、挿入部はその位置で保持される。挿入部が容器内に存在しているか否かを外部から見ることができる。さらに、挿入部は、ＵＶ光源の照射に曝露されると色鮮やかに光るアクリルまたは別の材料からなり得る。こうして、照射への曝露があるか否かを外部から認識できる。これによって、ユーザは待ってからトイレブラシを持ち上げることができる。ユーザはこうして、少なくともトイレブラシのハンドルが消毒されたことを確認できる。
【００２８】
本発明のさらなる変形例は下位請求項の主題である。添付の図面を参照して実施形態を以下により詳細に説明する。
【図面の簡単な説明】
【００２９】
【図１】シリコンフラグを有するトイレブラシの縦断面図である。
【図２】図１のトイレブラシの上面図である。
【図３】アクリル製のトイレブラシ用の挿入部の縦断面図である。
【図４】図３のアセンブリの上面図である。
【図５Ａ】分解図における挿入部内のトイレブラシの蓋の縦断面図である。
【図５Ｂ】組立てられた状態の図５Ａの蓋の縦断面図である。
【図６Ａ】トイレブラシおよび挿入部用の容器の上面図である。
【図６Ｂ】図６Ａの容器の縦断面図である。
【図７】蓋が閉まっており、挿入部およびトイレブラシが挿入されている、底部を有する図５の縦断面図である。
【図８】蓋が開いている図７の容器の縦断面図である。
【図９】ベースプレートおよびペダルを有する図７の容器の上面図である。
【図１０】ペダルの方向における図９の容器の正面図である。
【図１１】蓋が閉まっている、ペダルに垂直な方向における図１０の容器の側面図である。
【図１２】蓋が開いている、ペダルに垂直な方向における図１０の容器の正面図である。
【図１３】蓋が閉まっている図１０の容器の背面図である。
【図１４】第２の実施形態に係る、壁に吊設されたトイレブラシ用の容器の斜視図である。
【図１５】蓋が閉まっている図１４の容器の側面図である。
【図１６】組立てられた状態で蓋が開いている図１４の容器の側面図である。
【図１７】図１５のアセンブリの鉛直断面図である。
【図１８】図１６のアセンブリの鉛直断面図である。
【図１９】図１４のアセンブリの蓋を下から別個に示す図である。
【図２０】図１４のアセンブリの蓋を横から別個に示す図である。
【図２１】回転軸の側方からの図１４のアセンブリの蓋の断面図である。
【図２２】図１４のアセンブリの蓋を上から別個に示す図である。
【図２３】図１４の容器を挿入部およびブラシとともに示す分解図である。
【図２４】図１４の容器の上からの上面図である。
【図２５】図１４の容器用の挿入部を挿入部およびブラシとともに示す上面図である。
【図２６】第３の実施形態に係る、開状態のトイレブラシを収容するためのハウジングの斜視図である。
【図２７】図２６のアセンブリを横から示す図である。
【図２８】図２６のアセンブリを前から示す図である。
【図２９】閉状態の図２６のアセンブリの斜視図である。
【図３０】図２６のアセンブリの分解図である。
【図３１】閉状態の断面Ａ−Ａに沿った図２６のアセンブリの鉛直断面図である。
【図３２】閉状態の断面Ｂ−Ｂに沿った図２６のアセンブリの鉛直断面図である。
【図３３】閉状態の断面Ｃ−Ｃに沿った図２６のアセンブリの鉛直断面図である。
【図３４】閉状態の断面Ｄ−Ｄに沿った図２６のアセンブリの鉛直断面図である。
【図３５】トイレブラシおよび挿入部が挿入されている開状態の図２６のＡ−Ａのアセンブリの鉛直断面図である。
【図３６】挿入部が挿入されている開状態の図２６のアセンブリの鉛直断面図であり、トイレブラシをどのように持ち上げるかを示す図である。
【図３７】挿入部およびトイレブラシが分離している開状態の図２６のアセンブリの鉛直断面図である。
【図３８】図２６のアセンブリの壁における設置を示す図である。
【図３９】図２６のアセンブリの面一装着型の設置を示す図である。
【図４０】開状態の図２６のアセンブリの目に見える前側の斜視図である。
【図４１】トイレの横の改良板（revision）または装飾板の後ろの図２６のアセンブリの設置を示す図である。
【図４２】図２６のアセンブリの分解図である。
【発明を実施するための形態】
【００３０】
実施形態の説明
１．実施形態（図１から図１３）
図１は、番号１０で全体的に示されているトイレブラシを示す。トイレブラシ１０はブラシヘッド１２およびシャフト１４を有する。シャフト１４の上部１６はハンドルを形成する。シャフト１４は長尺でピン形状である。ブラシヘッド１２は、星形であり、かつ環状の受け口の形態のリング２０の一体型部分を形成する、シリコンフラグ１８からなる。これは図２の上面図においてよく認識できる。リング２０はシャフト１４の下端の上に固着されて当該下端に固定される。
【００３１】
ブラシヘッド１２の軸から離れた範囲内で、フラグ１８は小さい延在部２２でブラシヘッドの残りの部分を越えて上向きにわずかに延在する。これは図１において認識できる。当該延在部によって、便器の縁の下の範囲にも手が届いて掃除することができる。ブラシヘッド１２はその下面に溝２４を形成する。溝２４によって、トイレブラシ１０は挿入部２８内で上向きに延在するピン２６の上に固着されて挿入部２８内の中心に置かれ得る。挿入部２８は図３および図４に別個に示されている。
【００３２】
挿入部２８は、トイレブラシ１０が掃除のために使用されていないときにトイレブラシ１０を収容する役割を果たす。本実施形態の挿入部２８はアクリルからなる。異なるまたは同様の特性を有する他の材料を用いてもよいことが理解される。挿入部２８は本質的に円筒形である。挿入部の底部はやや湾曲しており、ピン２６はトイレブラシ１０が底部３０に完全には達しないように成形されている。これは図７において認識できる。それによって、水滴１３が挿入部２８の底にたまった場合にトイレブラシ１０が水滴に不必要に接触することが回避される。
【００３３】
挿入部２８はその上端に、径方向外向きに突出する縁３２を形成する。縁３２によって、挿入部２８は外側容器３８の上端縁３６に載置される。これは図７において認識できる。挿入部２８の縁３２は容器３８の外壁と一直線になっており、それによって、常に外部から見える。
【００３４】
容器３８および対応する蓋４０は図５および図６に別個に示されている。容器３８は本質的に円筒形であり、上側に向かって開いている。挿入部２８は容器３８に挿入される。容器の蓋４０はその上端に２つの壁を有して設計されているため、閉じたチャンバ４２が、ＵＶＣ光に対して透過性の石英ガラスまたはホウケイ酸ガラス４４製のさらなる底部とともに形成される。制御部４６および１つ以上の紫外光源４８がそのようなチャンバの内部に設けられている。紫外光源４８は、たとえば、放射する環状のまたはいくつかの点形状の光源であり得る。光源は、ＵＶ光源４８の照射５４が蓋４０の内部５２へと、かつ容器３８の内部５０へと放射するように配置される。蓋４０および容器３８の側壁および他の区域はＵＶＣ照射に対して透過性ではない。照射は外部に向かって出ることはできない。
【００３５】
照射の一部は挿入部２８に達する。挿入部２８はアクリルからなる。この材料は、人間の目には見えない波長をより長い可視波長に変換することになる。それによって、アクリルは青紫色にまたは青っぽく光ることになる。縁３２は外部から見える。その結果、オンに切替えられた光源４８を、光っている縁３２によって外部から認識できる。これは図７の照射５６によって示されている。たとえば掃除のために挿入部を取出すために、容器には取扱い凹部７９が設けられている。これは図１１に見ることができる。
【００３６】
図８および図１２は容器の蓋４０が開いているアセンブリを示す。ハンドル１６は容器３８の上端縁３６および挿入部２８の縁３２を越えて延在していることを認識できる。それによって、トイレブラシ１０を容易に持ち上げることができる。したがって、蓋４０は平面ではなく円筒形である。蓋４０を閉めるとハンドル１６は蓋４０の内部へと延在する。これは図７においてよく認識できる。
【００３７】
蓋４０はヒンジ部３９で容器３８にヒンジ接続される。ヒンジ部３９はヒンジを含む。ヒンジ部３９の容器側部分の上端縁に接触領域５８が設けられている。蓋４０を閉めると、接触領域５８は、ヒンジ部３９によって収容された電子部品を有する、制御部に接続されたセンサにぶつかる。ヒンジ部は容器および蓋に固定される。
【００３８】
センサはこの接触を、蓋４０が閉まったことを示す信号として検出する。そして制御部４６によってＵＶＣ照射への曝露が開始される。蓋４０を開けるとセンサとの接触は中断される。そしてＵＶ曝露は中断されるかまたは起動不可能となる。
【００３９】
制御部４６にはクロックまたは別のタイマが設けられている。本実施形態では、クロックは曝露時間を測定する。曝露時間が３０秒である場合、曝露は終了する。その後はハンドル１６、挿入部の内壁、およびトイレブラシ１０の残りの部分が完全に消毒されていると見なすことができる。
【００４０】
蓋４０の開放機構が図９から図１２に示されている。容器３８はベースプレート６０上に立っている。このために、容器３８には下向きに突出する輪郭７０が設けられている。これは図７に示されている。本実施形態では、輪郭７０は、容器３８の下面に一体化されたリングによって形成される。ベースプレート６０は２つの部分からなる。石製またはステンレス鋼製などの高密度のプレート７２に受け口７４およびボア孔７６が設けられている。カバー７８がプレート７２上に設定される。カバー７８はプレート７２の形状を有し、カバー７８にも受け口が設けられている。カバー７８はねじ８０でプレートに螺合される。輪郭７０はベースプレート７２の対応する輪郭７４に係合する。そして輪郭７０はロックイン固定されるか、差込み式留め具によって保持されるか、クリップ留めされるかまたはその他の方法で固定され得る。このようにして高い安定性が達成される。同時に、カバーは容器３８と同じ材料などの軽量材料からなってもよい。
【００４１】
ペダル６２がベースプレート６０に設けられている。ペダル６２はレバー６４のシステムによって蓋４０に接続される。蓋４０はヒンジ６６によって容器３８にヒンジ接続される。市販のペダル式ゴミ箱と同様に、ペダル６２を図１０および図１１に示されている上方位置から図１２に示されている下方位置に足で動かすことができる。蓋４０はこうしてレバー６４のシステムによって開位置に動かされる。これは図１２に示されている。したがって、ユーザは手で蓋に触れることが決してない。ユーザは、トイレブラシ１０の既に消毒されたハンドル１６を持ち上げるのみである。トイレブラシを手に取った後、ペダル６２から足を離すことができる。蓋は重力で自動的に閉まる。
【００４２】
ペダルがそのアイドル位置に戻ると蓋が閉まる。そして空の容器が照射に曝露される。特に、その他の場合はブラシの陰になるそのような範囲が照射に曝露されて消毒される。これは、たとえば、ブラシを中心に置くためのピンを含む。
【００４３】
ユーザはトイレブラシ１０を使用した後に容器３８内に戻す。また、このためにペダル６２を足で操作して蓋４０を再び開ける。トイレブラシ１０を挿入した後に蓋４０を再び閉めると、接触子５８がセンサを押圧する。そしてＵＶ光への曝露が開始される。
【００４４】
図１２はレバー６４のシステムをより詳細に示す。公知のペダル式ゴミ箱とは反対に、当該レバーのシステムは容器の外部に上向きに延在する。レバー６４のシステムの上端はヒンジ部３９内のヒンジ６６で終端する。センサおよび接触領域５８とは別に、ヒンジ部３９は電池またはアキュムレータ６８を収容する役割を果たす。フラップを通じて外部からそれらに手が届く。蓋の内部のＵＶ光は単純な配線で接続される。
【００４５】
第１の実施形態は、電池またはアキュムレータを用いる自由に可動な直立ハウジングである。しかし、第２の実施形態に関して以下に説明するように、電源が接続されている壁に吊設されたハウジングを用いることもできる。
【００４６】
２．実施形態：壁に吊設されたハウジング（図１４から図２５）
図１７は、番号１１０で全体的に示されているトイレブラシを示す。トイレブラシ１１０はブラシヘッド１１２およびシャフト１１４を有する。シャフト１１４の上部１１６はハンドルを形成する。トイレブラシ１１０は第１の実施形態のトイレブラシ１０に対応する。
【００４７】
トイレブラシ１１０は挿入部１２８内で上向きに延在するピン１２６の上に固着されて挿入部１２８内の中心に置かれ得る。挿入部１２８は図２３および図２５に別個に示されている。
【００４８】
挿入部１２８は、トイレブラシ１１０が掃除のために使用されていないときにトイレブラシ１１０を収容する役割を果たす。本実施形態の挿入部１２８はプラスチックからなる。異なるまたは同様の特性を有する異なる材料を用いてもよいことが理解される。挿入部１２８は下部範囲内で円形の断面を有する。上側範囲内では、挿入部は本質的に正方形の断面を有する。これは図２３においてよく認識できる。挿入部の底部はやや湾曲しており、ピン１２６はトイレブラシ１１０が底部１３０に完全には達しないように形成される。これは図１７においてよく認識できる。それによって、水滴１１３が挿入部１２８の底にたまった場合にトイレブラシ１１０が水滴に不必要に接触することが回避される。
【００４９】
挿入部１２８はその上端に、外向きに突出する縁１３２を形成する。そのような上縁１３６によって、挿入部は外側容器１３８の上端縁１３６に載置される。これは図１７および図１８おいて認識できる。突起部１３９は縁１３６の下方の各側の中心部を形成する。これは図２３おいて認識できる。容器１３８内の挿入部１２８の位置はそのような突起部１３９によって定まる。したがって、挿入部１２８は容器１３８内で実質的に遊びがない。
【００５０】
容器１３８に属する蓋１４０が再び図１９から図２２に別個に示されている。容器１３８は上端で開いている。本実施形態では、容器は本質的に角部が丸みを帯びた正方形であり、容器は下側範囲内で円形の断面を有する。挿入部１２８は容器１３８に挿入される。
【００５１】
容器の蓋１４０は上側底部１４９および下側底部１４４の二重底部を有する。上側底部１４９および下側底部１４４によって閉じたチャンバ１４２が形成される。制御部とＬＥＤ１４８の形態の３つの紫外光源とがチャンバ１４２に収容されている。上側底部１４９および下側底部１４４は湾曲して外側に向かってふくらんでいる。ＬＥＤは下側底部１４４を通って延在する。それによって、ＬＥＤの照射１５４が容器１３８の内部１５０へと放射され得る。蓋１４０の、かつ容器１３８の側壁および他の区域はＵＶＣ照射に対して不透過性である。照射は外部に出ることはできない。
【００５２】
蓋１４０の曲率によって、その内部に配置されたＬＥＤのさまざまな放射方向がもたらされる。このようにして、ＬＥＤはトイレブラシ１１０のハンドルの方向に、特にハンドル１１６上への方向に放射することになる。これは図１７においてよく認識できる。
【００５３】
照射の一部はチャンバ１４２内に直接放射されるか、または反射してやや上向きに放射される。アクリルリング１５１が蓋の上側底部１４９に一体化されている。このリングは図２２においてよく認識できる。当該材料は、人間の目には見えない波長をより大きい可視波長に変換する。それによって、アクリルはわずかに青紫色にまたは青っぽく光ることになる。リング１５１は外部から見える。したがって、ＬＥＤ１４８がオンに切替えられたことを示す光っているリング１５１を外部から見ることができる。これは図２２の照射１５６によって示されている。
【００５４】
図１６および図１８は容器の蓋１４０が開いているアセンブリを示す。容器の蓋１４０は、容器１３８に接続されているハウジング１４１において軸１３９の周りに回転可能にヒンジ接続される。ハウジング１４１の上端縁に接触領域が設けられている。蓋１４０を閉めると、接触領域は、制御部に接続される、かつハウジング１４１に収容された電子部品を有する、センサにぶつかる。
【００５５】
センサはこの接触を、蓋１４０が閉まったことを示す信号の形態で検出する。そして制御部によってＵＶＣ照射への曝露が開始される。蓋１４０を開けるとセンサとの接触は中断される。そしてＵＶ曝露は中断されるかまたは起動不可能となる。
【００５６】
制御部にはクロックまたは別のタイマが設けられている。本実施形態では、クロックは曝露時間を測定する。曝露時間が３０秒である場合、曝露は終了する。その後はハンドル１１６、挿入部の内壁、およびトイレブラシ１１０の残りの部分が完全に消毒されていると見なすことができる。
【００５７】
蓋１４０は、ハウジング１４１に収容されている開放機構で開けられる。開放機構は、モータ１６２と、モーションセンサ１４３の信号を受信する制御部とを含む。モーションセンサ１４３は蓋１４０の上面に設けられている。ユーザがたとえば手をモーションセンサ１４３に近づけると、モータ１６２の制御部に信号が送信される。そしてモータ１６２が蓋１４０を開けることにより、トイレブラシを持ち上げることができる。トイレブラシを使用後に挿入部内に戻すと、蓋１４０はモーションセンサが手動で起動され次第モータ１６２によって閉められる。そして接触部が上端縁でセンサを押し、ＵＶ光への曝露が開始されることになる。モータ１６２はハウジング１４１に収容されているため、蓋は特に軽量に設計可能である。こうして、開けるのに小さい力で済む。
【００５８】
ハウジング１４１は、蓋１４０を開けるためのヒンジ１３９およびモータ１６２を収容する役割を果たす。ハウジングはさらに、容器アセンブリ全体を壁１４５に固定する役割を果たす。これは図１６および図１８においてよく認識できる。壁に固定することで容器の下方にいくらかの空き空間がもたらされるため、容器の範囲内の床１４７を容易に掃除することができる。
【００５９】
固定手段１５３を固定するためにねじ１５５が用いられ、これは図１８においてよく認識できる。こうしてハウジング１４１が誘導によって固定手段１５３の上に固着される。
【００６０】
壁に吊設された容器１３８は実質的に不動である。これによって、電池またはアキュムレータによるものではなく電力ネットワークへの接続による容器の電源が可能となる。ネットワーク電力を通常の方法でモータ１６２およびＬＥＤ１４８の要件に適合させる整流器または変圧器などの好適な部品が、ハウジング１４１に収容されている。点検、補充、交換または追加しなければならないものはまったくない。容器１３８または挿入部１２８のそれぞれ、およびブラシ１１０は、その他の一般的なトイレブラシと同様に洗うだけでよい。これは訓練されていない人員でも行なうことができる。
【００６１】
上述の実施形態は壁の前に固定される。しかし、第３の実施形態に関して以下に説明するように、電力ネットワークとの接続を用いて壁の後ろに面一のハウジングを用いることもできる。
【００６２】
３．実施形態：（図２６から図４１）
図３６は、番号２１０で全体的に示されているトイレブラシを示す。トイレブラシ２１０はブラシヘッド２１２およびシャフト２１４を有する。シャフト２１４の上部２１６はハンドルを形成する。トイレブラシ２１０は第１の実施形態のトイレブラシ１０に対応する。
【００６３】
トイレブラシ２１０は挿入部２２８に差込まれて側壁によって挿入部２２８内の中心に置かれ得る。挿入部２２８は図３０および図３７に別個に示されている。
【００６４】
挿入部２２８は、トイレブラシ２１０が掃除のために使用されていないときにトイレブラシ２１０を収容する役割を果たす。本実施形態の挿入部２２８はプラスチックからなる。異なるまたは同様の特性を有する異なる材料を用いてもよいことが理解される。挿入部１２８はポット形状でであり、底部に円形の断面を有する。挿入部２２８の壁はブラシヘッド２１２の形態に適合される。それによって、ブラシ２１０はその位置に支持される。挿入部２２８は、ブラシヘッド２１２の下方で下向きに延在する凹部２３１を形成する。凹部２３１は、水滴を受けるためのチャンバを形成する。それによって、水滴が挿入部２２８の底にたまった場合にトイレブラシが水滴に不必要に接触することが回避される。
【００６５】
挿入部２２８はブラシヘッド２１２のほぼ上端まで上向きに延在する。その結果、トイレブラシのシャフト２１４は挿入部２２８で囲まれていない。挿入部２２８はその上端縁に矩形のカラー２３３を形成する。挿入部２２８はそのようなカラー２３３でフック２３５に吊設されている。
【００６６】
フック２３５はハウジングフラップ２３７の全幅に沿って延在し、たとえば糊付けによってハウジングフラップ２３７に固定される。フック２３５を別の方法で固定すること、またはフックをハウジングフラップ２３７に一体化することもできる。ハウジングフラップ２３７はシャフト２３９の周りを回転可能である。シャフト２３９はフック２３５の下側範囲内で固定され、ハウジング２３８の凹部内に回転可能に保持される。シャフトの少なくとも一端はモータ２６２によって駆動される。図４２はシャフト２３８を駆動する２つのモータ２６２および２６２′を有する実施形態を示す。フラップ２３７が開閉すると、ハウジング２３８、フック２３５および吊設された挿入部２２８がこの回転運動に従うことになる。したがって、挿入部２２８内に存在しているトイレブラシ２１０が外側に向かって回転することになる。これは図２６および図３５においてよく認識できる。
【００６７】
ハウジング２３８に属するフラップ２４０が再び図１９から図２２に別個に示されている。ハウジング２３８は前部が開いている。本実施形態では、この範囲内のハウジングは本質的に立方体である。挿入部２２８はハウジング２３８に挿入される。
【００６８】
ユーザは、フラップ２３７、およびフラップ２３７の横側に設けられているライニング２４１を前から見ることができる。したがって、それらはガラス、木材またはステンレス鋼など、ユーザの好みに合った材料で作ることができる。
【００６９】
ハウジング２３８は上側カバー２４９によって閉められる。制御部とＬＥＤ２４８の形態の３つの紫外光源とを有するモジュール２５１がカバー２４９に固定される。これは図３０に見ることができる。モジュール２５１の前部は開状態でしか見えない。そこでフラップが開けられる。フラップが閉められると、モジュール２５１は外部からは見えない。前側は止め具として働き、溝に挿入されるかまたは糊付けされるプラスチックストッパまたはスポンジゴムなどが設けられている。モジュール２５１の下面は湾曲して外側に曲がっている。ＬＥＤは、モジュール２５１の曲がった下面に延在する。それによって、照射２５４がＬＥＤ２４８によってハウジング２３８の内部２５０へと放射され得る。これは図３４においてよく認識できる。フラップ２３７およびハウジング２３８の内側区域はＵＶＣ照射に対して不透過性である。照射は外部に向かって出ることはできない。
【００７０】
モジュール２５１の下面の曲率によって、その内部に配置されたＬＥＤ２４８のさまざまな照射方向がもたらされる。このようにして、ＬＥＤはトイレブラシ２１０のハンドルの方向に、特にハンドル２１６上への方向に放射することになる。これは図３４においてよく認識できる。
【００７１】
アクリル材料製のストリップ２５３がフラップの上側範囲に一体化されている。これは図２８においてよく認識できる。当該材料は、人間の目には見えない波長をより長い可視波長に変換する。それによって、アクリルはわずかに青紫色にまたは青っぽく光ることになる。ストリップ２５３は外部から見える。光っているストリップ２５３によって、オンに切替えられたＬＥＤ２４８を外部から認識できる。これは図２８の照射２５６によって示されている。
【００７２】
ハウジングを閉めると、フラップ２３７の前部はライニングと一直線になる。図２６および図２７はフラップ２３７が開いているアセンブリを示す。フラップは、ハウジング開口部を開閉するために軸２３９の周りを回転可能である。このためにモータ２６２が用いられる。これは図４２においてよく認識できる。モータ２６２はモーションセンサ２５７によって起動される。モーションセンサ２５７はフラップ２３７のストリップ２５３の上方に位置している。モーションセンサ２５７が手などによる動きを検出すると、フラップがモータ２６２によって開けられる。さらなる動きを検出すると、モータ２６２に対する閉信号が生じる。フラップ２３７とハウジングとの接触を抑えるために、スポンジゴムを有するビーディングが上端縁に設けられている。センサ２５７は、図２９に示されるように、ストリップ２５３の上方に設けられ得る。しかし、蓋上のセンサを、たとえば前または中央に位置決めすることもできる。これは壁の前に設置する場合に特に有用である。センサとモータ２６２との接続は、無線などによって非接触であってもよいし、溝内の配線を介してもよい。
【００７３】
フラップ２３７を閉めると、制御部によってＵＶＣ照射への曝露が開始される。フラップ２３７を開けると、ＵＶ曝露は中断されるかまたは起動不可能となる。
【００７４】
制御部にはクロックまたは別のタイマが設けられている。本実施形態では、クロックは曝露時間を測定する。曝露時間が３０秒である場合、曝露は終了する。その後はハンドル２１６、挿入部の内壁、およびトイレブラシ２１０の残りの部分が完全に消毒されていると見なすことができる。
【００７５】
ユーザがたとえば手をモーションセンサ２５７に近づけると、モータ２６２の制御部に信号が送信される。そしてモータ１６２がフラップ２３７を開けることにより、トイレブラシを持ち上げることができる。トイレブラシを使用後に挿入部内に戻すと、フラップ２３７はモーションセンサが手動で起動され次第モータ２６２によって閉められる。そしてＵＶ光への曝露が開始されることになる。
【００７６】
ハウジング２３８はトイレブラシ２１０とともに、図３８に示されるように、壁の前に、またはガラス板もしくはその他の装飾板２５９の前に設置され得る。しかし、ハウジング２３８は壁に面一装着されてもよい。これは一例として図３９に示されている。こうしてライナー２４１がフラップ２３７および壁２６１と一直線になる。最終的に、ハウジングを個別に、またはガラス板もしくは装飾板２６３を有するトイレ設備の他の設備に一体化することもできる。これは一例として図４１に示されている。
【００７７】
固定設置されたハウジング２３８は実質的に不動である。これによって、電池またはアキュムレータによるものではなく電力ネットワークへの接続による容器の電源が可能となる。ネットワーク電力を通常の方法でモータ２６２およびＬＥＤ２４８の要件に適合させる整流器または変圧器などの好適な部品が、ハウジング２３８に収容されている。点検、補充、交換または追加しなければならないものはまったくない。容器２３８または挿入部２２８のそれぞれ、およびブラシ２１０は、その他の一般的なトイレブラシと同様に洗うだけでよい。これは訓練されていない人員でも行なうことができる。
【００７８】
上述した実施形態は請求項に請求されている発明を例示しているに過ぎない。その他の特徴とともに開示されている特徴は一般的に、単独で、または本文もしくは図面に明示的に開示されているか実施形態に暗黙的に開示されているさらなる特徴と組合せて用いることができる。寸法およびサイズは一例として示されているに過ぎない。当業者であれば、専門知識からの、したがってここではより詳細に記載されていない好適な範囲を導き出すであろう。ある特徴の厳密な実施形態の開示は、本発明がそのような厳密な実施形態に限定されることを意味するものではない。反対に、そのような特徴は当業者に知られている多くの他のものに置き換えることができる。したがって本発明は、実施形態に記載されているような形態だけでなく、添付の請求項に含まれるあらゆる実施形態による形態で実行可能である。
【００７９】
「上」、「下」、「右」および「左」という用語は、添付の図面に限定して関連している。請求項に記載の装置は異なる向きも取り得ることが理解される。「備える」および「含む」という用語は、言及されていないさらなる構成要素が提供され得ることを意味する。「本質的に」、「大部分は」、または「主に」という用語は、大部分について、すなわち、２つの構成要素についてなどですべての他の構成要素または特徴よりも多い、たとえば５０％よりも多いものについて、ある特性または内容を有するすべての特徴に関する。
【図１】
2021501668.tif 000003
【図２】
2021501668.tif 000004
【図３】
2021501668.tif 000005
【図４】
2021501668.tif 000006
【図５Ａ】
2021501668.tif 000007
【図５Ｂ】
2021501668.tif 000008
【図６Ａ】
2021501668.tif 000009
【図６Ｂ】
2021501668.tif 000010
【図７】
2021501668.tif 000011
【図８】
2021501668.tif 000012
【図９】
2021501668.tif 000013
【図１０】
2021501668.tif 000014
【図１１】
2021501668.tif 000015
【図１２】
2021501668.tif 000016
【図１３】
2021501668.tif 000017
【図１４】
2021501668.tif 000018
【図１５】
2021501668.tif 000019
【図１６】
2021501668.tif 000020
【図１７】
2021501668.tif 000021
【図１８】
2021501668.tif 000022
【図１９】
2021501668.tif 000023
【図２０】
2021501668.tif 000024
【図２１】
2021501668.tif 000025
【図２２】
2021501668.tif 000026
【図２３】
2021501668.tif 000027
【図２４】
2021501668.tif 000028
【図２５】
2021501668.tif 000029
【図２６】
2021501668.tif 000030
【図２７】
2021501668.tif 000031
【図２８】
2021501668.tif 000032
【図２９】
2021501668.tif 000033
【図３０】
2021501668.tif 000034
【図３１】
2021501668.tif 000035
【図３２】
2021501668.tif 000036
【図３３】
2021501668.tif 000037
【図３４】
2021501668.tif 000038
【図３５】
2021501668.tif 000039
【図３６】
2021501668.tif 000040
【図３７】
2021501668.tif 000041
【図３８】
2021501668.tif 000042
【図３９】
2021501668.tif 000043
【図４０】
2021501668.tif 000044
【図４１】
2021501668.tif 000045
【図４２】
2021501668.tif 000046
【国際調査報告】
2021501668.tif 000047
2021501668.tif 000048
2021501668.tif 000049
2021501668.tif 000050
2021501668.tif 000051
2021501668.tif 000052